(57)【要約】      （修正有）【課題】口腔又は鼻咽頭にロッドを差し込んで、口腔又は鼻咽頭の粘膜を容易に取ることが可能であり、操作が迅速であり、費用がより低い粘膜取り用ブラシを提供する。【解決手段】ロッド１１と、剛毛部１２と、から構成され、ロッドの上段に剛毛部が設けられており、剛毛部は、鉄ワイヤでナイロン糸を挟んで構成される。その上端に玉体１２１が形成されており、その下段に定位ロッド１２２が延びており、ロッドは定位ロッドに係止される。定位ロッドには、く字形を呈する係止部１２２１が形成されており、係止部により、定位ロッドをロッドに嵌止することが可能であり、剛毛部の下方のロッド段には、環状を呈する断ち切り部１１１が形成されており、断ち切り部により、ロッドを容易に断ち切ることが可能である。【選択図】図１
0003193416.tif 000002
【実用新案登録請求の範囲】
【請求項１】
ロッドと、剛毛部と、から構成され、前記ロッドの上段に前記剛毛部が設けられており、前記剛毛部は、鉄ワイヤでナイロン糸を挟んで構成され、その上端に玉体が形成されており、その下段に定位ロッドが延びており、前記ロッドは前記定位ロッドに係止されており、前記定位ロッドには、く字形を呈する係止部が形成されており、前記係止部により、前記定位ロッドを前記ロッドに嵌止することが可能であり、前記剛毛部の下方のロッド段には、環状を呈する断ち切り部が形成されており、前記断ち切り部により、前記ロッドを容易に断ち切ることが可能であることを特徴とする粘膜取り用ブラシ。
【請求項２】
前記係止部の屈折は一つ以上であることを特徴とする、請求項１に記載の粘膜取り用ブラシ。  
【考案の詳細な説明】
【技術分野】
【０００１】
本考案は、粘膜取り用ブラシに関し、特に、ロッドの上段に剛毛部が設けられており、ロッドの上端に玉体が設けられており、口腔又は喉に差し込んで粘膜を取ることが可能であり、剛毛部には、ロッドと係止する係止部が設けられており、粘膜を取った後、断ち切り部を断ち切ると、剛毛部だけを持って分析することが可能な粘膜取り用ブラシに関するものである。
【背景技術】
【０００２】
癌は国民の死亡の原因の一番目である。口腔癌及び鼻咽頭癌を早期に発見するために、口腔又は鼻咽頭の粘膜を取ってスクリーニングをする。現在、口腔癌のスクリーニング方式は、医師の目視の判断に拠り、又は病変の部位の染色してスクリーニングをする。しかし、このようなスクリーニング方式は、時間がかなり掛かり、そして高価である。鼻咽頭癌の位置は、口腔の上方にあり、鼻腔の後ろ方にあり、頭蓋底の下方にあるため、目視で発見することができず、生検、コンピューター断層撮影法、ＭＲＩ検査、又は鼻咽頭カメラ検査を利用しないと発見することができない。このような検査方式は、時間がかなり掛かり、そして高価である。このため、国民は、口腔癌及び鼻咽頭癌を主動にスクリーニングする人数は少ない。そして鼻咽頭癌の初期の症状は著しくないため、特別の警戒心を有しないと、鼻咽頭癌の治療のタイミングを無視しやすい。
【考案の概要】
【考案が解決しようとする課題】
【０００３】
本考案の主な目的は、ロッドの上段に剛毛部が設けられており、ロッドの上端に玉体が設けられており、口腔又は鼻咽頭にロッドを差し込んで、口腔又は鼻咽頭の粘膜を容易に取ることが可能であり、操作が迅速であり、費用がより低い粘膜取り用ブラシを提供することにある。
【課題を解決するための手段】
【０００４】
本考案の粘膜取り用ブラシによると、ロッドと、剛毛部と、から構成され、ロッドの上段に剛毛部が設けられており、剛毛部は、鉄ワイヤでナイロン糸を挟んで構成され、その上端に玉体が形成されており、その下段に定位ロッドが延びており、ロッドは定位ロッドに係止されており、定位ロッドには、く字形を呈する係止部が形成されており、係止部により、定位ロッドをロッドに嵌止することが可能であり、剛毛部の下方のロッド段には、環状を呈する断ち切り部が形成されており、断ち切り部により、ロッドを容易に断ち切ることが可能であることを特徴とする。
【０００５】
本考案の粘膜取り用ブラシによると、係止部の屈折は一つ以上であることを特徴とする。
【考案の効果】
【０００６】
本考案の粘膜取り用ブラシによれば、次のような効果がある。
（１）ロッドの上段に剛毛部が設けられており、ロッドの上端に玉体が設けられており、口腔又は鼻咽頭にロッドを差し込んで、口腔又は鼻咽頭の粘膜を容易に取ることが可能である。そして操作が迅速であり、費用がより低い。
【０００７】
（２）剛毛部の定位ロッドに係止部が設けられているため、剛毛部をロッドに安定的に嵌止することが可能であり、剛毛部がロッドから離脱することを防止することが可能であり、安全性を増加することが可能である。
【０００８】
（３）断ち切り部により、ロッドを容易に断ち切ることが可能である。ロッドを断ち切った後、剛毛部だけを持って分析することが可能である。このように、手術を施せずに口腔又は鼻咽頭の粘膜を取ることが可能であるため、患者の手術による痛みを無くすことが可能である。患者のスクリーニングの意欲を増加することが可能である。
【図面の簡単な説明】
【０００９】
【図１】本考案の一実施例を示す外観図である。
【図２】本考案の一実施例を示す断面図である。
【図３】本考案の一実施例の一部を示す断面図である。
【図４】本考案の一実施例のロッドが断ち折られた状態を示す図である。
【考案を実施するための最良の形態】
【００１０】
以下、本考案の実施の形態を図面に基づいて説明する。
【００１１】
図１を参照する。図１は本考案の一実施例を示す外観図である。本実施例の粘膜取り用ブラシは、ロッド１１と、剛毛部１２と、から構成される。ロッド１１の上段に剛毛部１２が設けられている。剛毛部１２は、鉄ワイヤでナイロン糸を挟んで構成される。このように、本実施例の粘膜取り用ブラシは、ロッドが錆びず、剛毛が離脱せず、剛毛が柔らかいため、患者に傷付けることはない。剛毛部１２の上端に玉体１２１が形成されているため、サンプリングしているときに剛毛部１２が患者に傷付けることはない。剛毛部１２の下段に定位ロッド１２２が延びている。定位ロッド１２２には、く字形を呈する係止部１２２１が形成されている。係止部１２２１により、定位ロッド１２２をロッド１１に嵌止することが可能である。係止部１２２１の屈折は一つ以上である。剛毛部１２の下方のロッド１１段には、環状を呈する断ち切り部１１１が形成されている。断ち切り部１１１により、ロッド１１を容易に断ち切ることが可能である。
【００１２】
図２を参照する。図２は本考案の一実施例を示す断面図である。サンプリング用ブラシ１は、ロッド状を呈し、口腔又は鼻咽頭に差し込むことが可能であり、剛毛部１２の剛毛により、口腔又は鼻咽頭の粘膜を取ることが可能であり、そして断ち切り部１１１により、ロッド１１を断ち切ることが可能である。ロッド１１を断ち切った後、剛毛部１２だけを持って分析することが可能である。このように、手術を施せずに口腔又は鼻咽頭の粘膜を取ることが可能であるため、患者の手術による痛みを無くすことが可能である。
【００１３】
図３を参照する。図３は本考案の一実施例の一部を示す断面図である。剛毛部１２の上端に玉体１２１が形成されているため、口腔又は鼻咽頭にサンプリング用ブラシ１を差し込んでいるときに、患者に傷付けることを防止することが可能である。剛毛部１２の定位ロッド１２２の下方の係止部１２２１は、く字形を呈し、その屈折が一つ以上である。このように、剛毛部１２をロッド１１に安定的に嵌止することが可能であり、安全性を増加することが可能である。
【００１４】
サンプリングした後、口腔又は鼻咽頭の粘膜が剛毛部１２に付着する。分析を便利にするために、ユーザが断ち切り部１１１の上段にやや力を加えると、断ち切り部１１１を断ち切ることが可能である。そして断ち切り部１１１の直径はロッド１１の直径よりも小さいため、図４に示すように、断ち切り部１１１を容易に断ち切ることが可能である。このように、剛毛部１２だけを持って分析することが可能であり、ユーザが剛毛部１２に接触することはないため、利用が極めて衛生的であり、分析の結果が影響されない。  
【産業上の利用可能性】
【００１５】
本考案は、粘膜取り用ブラシに適用することができる。
【符号の説明】
【００１６】
１  サンプリング用ブラシ
１１  ロッド
１２  剛毛部
１１１  断ち切り部
１２１  玉体
１２２  定位ロッド
１２２１  係止部
【図１】
0003193416.tif 000003
【図２】
0003193416.tif 000004
【図３】
0003193416.tif 000005
【図４】
0003193416.tif 000006